(57)【要約】【課題】蒸気タービンシステムの低圧内側ケーシングのためのカウリングシステムを提供すること。【解決手段】蒸気タービンカウリングシステムが開示される。蒸気タービンカウリングシステムは、蒸気タービンの内側ケーシングに近接して配置されるように構成された下側部分と、下側部分及び内側ケーシングの少なくとも１つに接続され、蒸気タービンの内側ケーシングに近接して配置されて内側ケーシングの周りに実質的に流路を定めるような形状にされた上側部分とを含む。【選択図】      図１
2014092155.tif 000002
【特許請求の範囲】
【請求項１】
蒸気タービンカウリングシステムであって、
蒸気タービンの内側ケーシングに近接して配置されるように構成された下側部分と、
前記下側部分及び前記内側ケーシングの少なくとも１つに接続され、前記蒸気タービンの内側ケーシングに近接して配置されて前記内側ケーシングの周りに実質的に流路を定めるような形状にされた上側部分と
を備える、蒸気タービンカウリングシステム。
【請求項２】
前記上側部分及び前記下側部分の少なくとも１つが、前記内側ケーシングの周りで断熱体として構成される、請求項１記載の蒸気タービンカウリングシステム。
【請求項３】
前記下側部分が、前記内側ケーシングに恒久的に接続される、請求項１記載の蒸気タービンカウリングシステム。
【請求項４】
前記上側部分が、前記内側ケーシング又は前記蒸気タービンの蒸気ガイドの少なくとも１つに接続される、請求項１記載の蒸気タービンカウリングシステム。
【請求項５】
前記上側部分が、前記内側ケーシングに解除可能に結合される、請求項４記載の蒸気タービンカウリングシステム。
【請求項６】
前記上側部分及び前記下側部分の少なくとも１つが、実質的に円滑な半径方向内向きに面する表面を含む、請求項１記載の蒸気タービンカウリングシステム。
【請求項７】
前記上側部分が蒸気入口を含む、請求項１記載の蒸気タービンカウリングシステム。
【請求項８】
前記上側部分が、前記下側部分に向けた流れを誘導するよう構成されている、請求項１記載の蒸気タービンカウリングシステム。
【請求項９】
前記上側部分及び前記下側部分が、前記内側ケーシングを実質的に内包し、前記内側ケーシングの上部から復水器までの流路を定める、請求項１記載の蒸気タービンカウリングシステム。
【請求項１０】
前記上側部分がモジュール式である、請求項１記載の蒸気タービンカウリングシステム。
【請求項１１】
下側カウリング部分に接続され且つ蒸気タービンの内側ケーシングを実質的に相補するような形状にされた上側カウリング部分を備え、該上側カウリング部分が、前記蒸気タービンの内側ケーシングに近接して配置されて実質的に前記内側ケーシングの周りに流路を定めるように構成されている、装置。
【請求項１２】
前記上側カウリング部分が、前記内側ケーシングの周りで断熱体として構成される、請求項１０記載の装置。
【請求項１３】
前記上側カウリング部分が、前記内側ケーシングに解除可能に結合される、請求項１０記載の装置。
【請求項１４】
前記上側カウリング部分が、前記内側ケーシングの上部セグメントを実質的に内包し、前記内側ケーシングの上部から前記下側カウリング部分までの流路を定める、請求項１０記載の装置。
【請求項１５】
前記上側カウリング部分が、蒸気入口を含み、前記下側カウリング部分へ流れを誘導するよう構成される、請求項１０記載の装置。
【請求項１６】
前記上側カウリング部分が、モジュール式であり、実質的に円滑な半径方向内向きに面する表面を含む、請求項１０記載の装置。
【請求項１７】
ロータ部材と、
前記ロータ部材を少なくとも部分的に囲むステータ部材と
を備える蒸気タービンシステムであって、前記ステータ部材が、
外部ケーシングと、
前記外部ケーシング内に配置された内部ケーシングと、
前記外部ケーシングと前記内部ケーシングとの間に配置される蒸気タービンカウリングシステムと
を含んでいて、該蒸気タービンカウリングシステムが、
前記内側ケーシングに近接して配置されるように構成された下側部分と、
前記下側部分及び前記内側ケーシングの少なくとも１つに接続された上側部分と
を含んでおり、前記上側部分が、前記蒸気タービンの内側ケーシングに近接して配置されて前記内側ケーシングの周りに実質的に流路を定めるような形状にされている、蒸気タービンシステム。
【請求項１８】
前記下側部分が前記内側ケーシングに恒久的に接続され、前記上側部分が前記内側ケーシングに解除可能に結合される、請求項１７記載の蒸気タービンシステム。
【請求項１９】
前記上側部分及び前記下側部分の少なくとも１つが、前記内側ケーシングの周りで断熱体として構成され、実質的に円滑な半径方向内向きに面する表面を含む、請求項１７記載の蒸気タービンシステム。
【請求項２０】
前記ステータ部材に動作可能に接続された復水器を更に備え、前記上側部分及び前記下側部分が、前記内側ケーシングを実質的に内包し、前記内側ケーシングの上部から復水器までの流路を定める、請求項１７記載の蒸気タービンシステム。
【発明の詳細な説明】
【技術分野】
【０００１】
本明細書で開示される主題は、蒸気タービンシステムのシェルに関する。より具体的には、蒸気タービンシステムの低圧内側ケーシングのためのカウリングシステム（例えば、加工シートメタルシェル）に関し、該カウリングシステムは、熱的（例えば、断熱、遮熱、その他）及び流れガイド（誘導）装置として構成される。
【背景技術】
【０００２】
蒸気タービンシェルは、例えば、蒸気タービンの高圧（ＨＰ）、中圧（ＩＰ）、及び／又は低圧（ＬＰ）セクションを含む部品である。従来の蒸気タービンシェル／カウリングは、タービンの内側ケーシングに恒久的に取り付けることができる複数の部品を含む。実際には、この複数の部品は、蒸気タービン及び蒸気タービン部品の断熱を助ける。蒸気タービン及び／又は内側ケーシングへの恒久的接続、並びに部品の各々の互いに対する構成、向き、及び相互関連性の結果として、蒸気タービンの周りのカウリングの製造及び組み立ては、十分な遮熱及び適切な組み立てを可能にするために蒸気タービン製造中に実施しなければならない労働集約的プロセスとすることができる。しかしながら、この複数の部品の組み立て並びにこれらの蒸気タービン内側ケーシングへの恒久的接続は、将来の保守管理作業及び手順が複雑になり、蒸気タービンの構築及び組み立てが複雑で長時間になる可能性がある。加えて、内側ケーシングの周りに配置されるこれらの複数の部品は、内側ケーシングの周りの蒸気タービンシステムの復水器への蒸気流路の一部と干渉し及び／又は妨害する可能性がある。
【先行技術文献】
【特許文献】
【０００３】
【特許文献１】米国特許第５１７４７１４号明細書
【発明の概要】
【０００４】
蒸気タービンカウリングシステムが開示される。１つの実施形態において、蒸気タービンカウリングシステムは、蒸気タービンの内側ケーシングに近接して配置されるように構成された下側部分と、下側部分及び内側ケーシングの少なくとも１つに接続され、蒸気タービンの内側ケーシングに近接して配置されて内側ケーシングの周りに実質的に流路を定めるような形状にされた上側部分とを含む。
【０００５】
本発明の第１の態様は、蒸気タービンカウリングシステムを含み、該蒸気タービンカウリングシステムは、蒸気タービンの内側ケーシングに近接して配置されるように構成された下側部分と、下側部分及び内側ケーシングに接続され、蒸気タービンの内側ケーシングに近接して配置されるよう構成された上側部分とを含み、該上側部分が、内側ケーシングの周りに実質的に流路を定める。
【０００６】
本発明の第２の態様は、下側カウリング部分に接続され且つ蒸気タービンの内側ケーシングを実質的に相補するように構成された上側カウリング部分を含み、該上側カウリング部分が、蒸気タービンの内側ケーシングに近接して配置されて実質的に内側ケーシングの周りに流路を定めるように構成されている。
【０００７】
本発明の第３の態様は、ロータ部材と、該ロータ部材を少なくとも部分的に囲むステータ部材とを有する蒸気タービンを含み、ステータ部材が、外部ケーシングと、外部ケーシング内に配置された内部ケーシングと、外部ケーシングと内部ケーシングとの間に配置される蒸気タービンカウリングシステムとを含み、該蒸気タービンカウリングシステムが、内側ケーシングに近接して配置されるように構成された下側部分と、下側部分及び内側ケーシングの少なくとも１つに接続されて蒸気タービンの内側ケーシングに近接して配置されるよう構成された上側部分とを含み、該上側部分が、内側ケーシングの周りに実質的に流路を定める。
【０００８】
本発明のこれら及び他の特徴は、本発明の種々の実施形態を示した添付図面を参照しながら、本発明の種々の態様に関する以下の詳細な説明から容易に理解されるであろう。
【図面の簡単な説明】
【０００９】
【図１】本発明の１つの実施形態による、タービンの一部の３次元部分切り欠き斜視図。
【図２】本発明の実施形態による、蒸気タービンシステムの一部の３次元斜視図。
【図３】本発明の実施形態による、蒸気タービンカウリングシェルシステムの３次元斜視図。
【図４】本発明の実施形態による、複数シャフトの複合サイクル発電プラントの一部の概略図。
【図５】本発明の実施形態による、単一シャフトの複合サイクル発電プラントの一部の概略図。
【発明を実施するための形態】
【００１０】
本発明の図面は縮尺通りではない点に留意されたい。当該図面は、本発明の典型的な態様のみを描くことを意図しており、従って、本発明の範囲を限定するものとみなすべきではない。各図面の間で同じ符号が付けられた要素は、互いを参照して説明されるように実質的に同様とすることができる点は理解される。更に、図１〜５に図示し参照して説明される実施形態では、同じ参照符号は同じ要素を示すことができる。明確にするために、これらの要素に関する冗長的な説明は省略している。最後に、図１〜５の部品及びこれらに付随する説明は、本明細書で記載されるあらゆる実施形態に適用することができる点は理解される。
【００１１】
本発明の態様は、蒸気タービンカウリングシステムを提供する。具体的には、本明細書で開示される主題は、蒸気タービンの内側ケーシングの周りに流路を形成することによって、蒸気タービン部品の断熱（例えば、遮熱、蒸気タービンの熱的に過酷なセクションに近接した滞留蒸気の隔離、内側ケーシングからの排出蒸気の分離、その他）を行い、蒸気タービンシステムにおける復水器への流れガイドとして機能するよう構成された蒸気タービンカウリングシステムに関する。カウリングシステムは、内側ケーシングのセクションに近接した蒸気を隔離するような形状にすることができ、内側ケーシングの周りで復水器への蒸気流に対して連続した流れ表面を提供するよう形成され及び/又は形状にされた滑らかな表面を含むことができる。
【００１２】
本明細書で記載されるように、従来の蒸気タービンシェルは、タービン部品を断熱するため内側ケーシング上に配置された複数の部品を含む。しかしながら、この複数の部品は、蒸気タービンシステムの組み立てを複雑にして長期化させ、蒸気タービン自体との同時製造及び組み立て（例えば、カスタマイズ化）が必要となる可能性がある。加えて、この複数の部品は、内側ケーシングの上部から内側ケーシングの下方の復水器への蒸気流を妨げ及び/又は妨害する可能性がある。更に、この複数の部品は、構築及び組み立ての結果として、蒸気タービンの周りの蒸気流を遮断し、及び／又は部品間に蒸気が流れることができるギャップを含み、これにより部品の断熱能力を最小限にする可能性がある。
【００１３】
蒸気タービンの内側ケーシングの従来のシェルとは対照的に、本発明の態様は、蒸気タービンの一部を断熱し、内側ケーシングの上部から復水器への流路を形成するよう構成されたカウリングを提供する。カウリングは、内側ケーシングの周りに実質的に配置され且つケーシングの上部からの蒸気の流れガイドとして構成された部品のセットを含む。一部の実施形態において、カウリングは、内側ケーシングの周りに非恒久的に配置され、これにより技術者が内側ケーシングにアクセスできるようにすることができる分離可能な部品（例えば、上側半部分）のセットを含む。
【００１４】
一部の実施形態において、カウリングシステムは、内側蒸気タービンケーシングに接続（例えば、恒久的に）された下側部分（例えば、半部分）と、内側蒸気タービンケーシングの周りに実質的に配置され、蒸気ガイド及び／又は内側ケーシングに取り外し可能（例えば、分離可能に、解除可能に結合され、その他）に接続された上側部分（例えば、半部分）とを含む。この実施形態において、カウリングシステムは、内側蒸気タービンケーシングに実質的に近接して（例えば、熱変動／膨張クリアランスで、幾何学的制約により制限される程近接して、その他で）配置することができる。
【００１５】
１つの実施形態において、カウリングシステムは、実質的に滑らかな表面を含むことができ、蒸気タービンの排気フード下部流れプレートの外部に流れを配向するよう構成することができる。１つの実施形態において、カウリングシステムは、蒸気タービンの内側ケーシングに対してある距離に配置することができ、これにより技術者が内側ケーシングにアクセス（例えば、水平継手ボルト及びタービン部品へのアクセス、内側ケーシング分解、その他）できるようになる。カウリングシステム及び本明細書で記載される装置の技術的作用は、タービン部品に対して断熱（例えば、遮熱）を提供し、蒸気タービンシステムにおける復水器に向けた流れガイドを形成することである。
【００１６】
図面を参照すると、内側ケーシングから復水器への流路を形成することによって、蒸気タービン部品の断熱（例えば、遮熱）を行い、復水器への流れガイドとして機能するよう構成されたシステム及び装置の実施形態が示されている。図における部品の各々は、従来の手段、例えば、共通の導管、又は図１〜５に示すような他の公知の手段を介して接続することができる。図面を参照すると、図１は、ガスタービン又は蒸気タービンの部分切り欠き斜視図を示す。タービン１０は、ロータ１２を含み、該ロータは、回転シャフト１４と、軸方向に離間した複数のロータホイール１８とを含む。各ロータホイール１８には、複数の回転ブレード２０が機械的に結合される。より具体的には、ブレード２０は、各ロータホイール１８の周りに円周方向に延びる列を成して配列される。複数の固定ベーン２２が、シャフト１４の周りに円周方向に延び、ベーンは、ブレード２０の隣接する列間に軸方向に位置付けられる。固定ベーン２２は、ブレード２０と協働して段を形成し、また、タービン１０を通る蒸気流路の一部を定める。
【００１７】
作動中、ガス又は蒸気２４は、タービン１０の入口２６に流入し、固定ベーン２２を通って送られる。ベーン２２は、ガス又は蒸気２４をブレード２０に対して下流側に配向する。ガス又は蒸気２４は、残りの段を通過してブレード２０に力を加え、シャフト１４を回転させるようにする。タービン１０の少なくとも１つの端部は、回転シャフト１２から離れて軸方向に延びることができ、限定ではないが、発電機及び／又は別のタービンのような負荷又は機械装置（図示せず）に取り付けることができる。
【００１８】
１つの実施形態において、タービン１０は、５つの段を含むことができる。５つの段は、Ｌ０、Ｌ１、Ｌ２、Ｌ３、及びＬ４と呼ばれる。段Ｌ４は、第１の段であり、５つの段のうちの（半径方向で）最小の段である。段Ｌ３は、第２の段であり、軸方向で次の段である。段Ｌ２は、第３の段であり、５つの段のうちの中間に示される。段Ｌ１は、第４の段であり、最後から２番目の段である。段Ｌ０は、最終段であり、（半径方向で）最大の段である。５つの段は一例として示されているに過ぎず、各タービンは、５つよりも多い又は少ない段を有することができる点を理解されたい。また、本明細書で記載されるように、本発明の教示は、必ずしも複数段のタービンが必須ではない。
【００１９】
図２を参照すると、幾つかの実施形態による、カウリングシステム２００を含む蒸気タービンシステム１００の一部の３次元分解斜視図が示される。この実施形態において、蒸気タービンシステム１００は、内側ケーシング１９０に接続され及び／又はこれを支持するよう構成されたベース１５０を含む。キャップ１４０は、ベース１５０に接続され、内側ケーシング１９０の周りに配置されて、実質的に収容式の蒸気タービンシステム１００を形成することができる。内側ケーシング１９０は、下側半部分ケーシング１７０と、該下側半部分ケーシング１７０に接続され及び／又は下側半部分ケーシング１７０と相補し且つ実質的にタービン部品１７４（例えば、ロータ、ベーン、シール、流路、その他）のセットの周囲に及び／又はこれらを通過する流路「Ａ」を定める上側半部分ケーシング１６０とを含むことができる。１つの実施形態において、カウリングシステム２００は、内側ケーシング１９０及びベース１５０とキャップ１４０との間に配置することができる。カウリングシステム２００は、実質的に内側ケーシング１９０の周りに配置され、蒸気タービンシステム１００の部品及び／又は一部を断熱（例えば、熱的に）するよう構成することができる。１つの実施形態において、カウリングシステム２００は、内側ケーシング１９０の周りに（例えば、カウリングシステム２００と内側ケーシング１９０との間に）流路１９２を実質的に定めることができる。流路１９２は、内側ケーシング１９０の上部から、ベース１５０内に配置され及び／又は接続された復水器まで延びることができる。１つの実施形態において、カウリングシステム２００は、流路１９２の流れガイド（例えば、円滑経路、空力経路、その他）として構成することができる。流路１９２は、蒸気経路から出る蒸気を復水器に至るまで配向するような形状にされた上側半部分内側ケーシング１６０上に円滑表面を含むことができる。１つの実施形態において、流路１９２の円滑表面は、圧力要件を低減することができる。内側ケーシングセグメント（例えば、内側ケーシング１９０）の従来のシェルシステムとは対照的に、図示され且つ本明細書で記載されるカウリングシステム２００は、断熱を提供し、内側ケーシング１９０の周りに流路１９２を定める。加えて、カウリングシステム２００は、分離可能部品（例えば、上側部分１１０）を含むことができる。
【００２０】
１つの実施形態において、カウリングシステム２００は、上側部分１１０と、互いに相補して内側ケーシング１９０の周りにカウリングシステム２００を形成するよう構成された下側部分１２０とを含むことができる。上側部分１１０及び／又は下側部分１２０は、間に流路１９２を定めるように内側ケーシング１９０に近接して配置することができる。１つの実施形態において、下側部分１２０は、内側ケーシング１９０に恒久的に接続（例えば、溶接、一体的ボルト締め、その他）することができる。上側部分１１０は、内側ケーシング１９０、流れガイド、及び／又はキャップ１４０に分離可能に接続（例えば、ボルト締め、解除可能に結合、その他）することができる。１つの実施形態において、上側部分１１０は、モジュール式であり、及び／又は保守プロセス／手順のため取り外し可能に構成することができる。１つの実施形態において、上側部分１１０及び下側部分１２０は、内側ケーシング１９０に対して熱変動クリアランス（例えば、熱膨張の変化の結果として部品間の接触／応力を回避するのに安全な距離）にて配置することができる。１つの実施形態において、上側部分１１０及び／又は下側部分１２０は、技術者の内側ケーシング１９０及びその部品へのアクセスを許容／可能にするような内側ケーシング１９０に対する距離にて配置することができる。
【００２１】
１つの実施形態において、カウリングシステム２００は、実質的に円滑な半径方向内向きに面する表面１９８を含み、該表面が実質的に流路１９２を定める（例えば、流れガイドとして機能する）。内側ケーシングセグメントに恒久的に接続された複数の部品を含む従来のシェル構造は、その付近での流れを妨害又は干渉する可能性があるので、これらの実質的に円滑な半径方向内向きに面する表面１９８は、内側ケーシングセグメントの従来のシェル構造の半径方向内向きに面する表面とは異なる。カウリングシステム２００は、内側ケーシング構造の全ての特徴要素及び表面（例えば、外部リブ、突出部、その他）を覆うことができる。図２に示すように、上側半部分ケーシング１６０及び下側半部分ケーシング１７０は、複数の蒸気流れチャンネル１７８を含み、該チャンネルは、ロータ装置（図の説明を簡単にするために省略）の周りを実質的に環状に延びる。すなわち、図２に示す蒸気流れチャンネル１７８は、下側半部分ケーシング１７０と上側半部分ケーシング１６０との間に延びて、ケーシングセグメントが隣接するときに流路Ａ（仮想線で示す）に沿って及び／又はその周りに蒸気流路を提供するようにする。従来のシェルシステムとは対照的に、本発明の態様は、本明細書で記載されるカウリングシステム２００（例えば、分離可能上側部分１１０及び／又は下側部分１２０を含む）によって流路ガイド／定義及び断熱（例えば、遮熱）を可能にする。例えば、図２〜３に示すように、カウリングシステム２００は、実質的に流路１９２を定め且つ蒸気タービンシステム１００に断熱を提供する距離にて内側ケーシング１９０の周りに配置することができる。カウリングシステム２００は、加工シートメタルを含むことができる。１つの実施形態において、蒸気は、流路１９２の周りを移動し、蒸気の第１の部分が下側半部分ケーシング１７０から下方の復水器まで直接通過することができ、蒸気の第２の部分が上側半部分ケーシング１６０においてスワールを生じて復水器まで排出することができるようになる。
【００２２】
図３を参照すると、本発明の実施形態による、蒸気タービンカウリングシステム２４０の３次元斜視図が示される。この実施形態において、カウリングシステム２４０は、上側部分２１０（例えば、上側半部分ケーシング１６０（例えば、図２の内側ケーシング）と嵌合するよう構成された上側半部分シェル）と、下側部分２２０（例えば、下側半部分ケーシング１７０（例えば、図２の内側ケーシング）と嵌合するよう構成された下側半部分シェル）とを含む。１つの実施形態において、下側部分２２０は、下側半部分ケーシング１７０（例えば、内側ケーシング）の幾何形状を囲むような形状にされたチャンネル２５０を含むことができる。上側部分２１０は、流れ供給導管（明確にするために図示せず）を受け及び／又は相補するよう構成された流れ開口２１６を含むことができる。１つの実施形態において、上側部分２１０は、内側ケーシング１９０の構造において突出部を収容するような形状にされたカバー２１８のセットを含むことができる。上側部分２１０は、該上側部分２１０の周りに円周方向に配置され、内側ケーシング１９０及び／又はキャップ１４０を嵌合可能に係合するよう構成されたコネクタ２１２のセットを含むことができる。コネクタ２１２のセットは、上側部分２１０を内側ケーシング１９０及び隣接する部品の周りに固定し及び／又は配向することができる。
【００２３】
１つの実施形態において、下側部分２２０及び／又は上側部分２１０は、実質的に円滑な半径方向内向きに面する表面１９８のセットを含むことができ、該表面１９８は、内側ケーシング１９０の周りに実質的に流路１９２を定める。下側部分２２０及び／又は上側部分２１０は、水平継手／表面２８０のセットにて接続することができる。
【００２４】
図４を参照すると、複数シャフト複合サイクル発電プラント５００の一部の概略図が示される。複合サイクル発電プラント５００は、例えば、発電機５７０に動作可能に接続されるガスタービン５８０を含むことができる。発電機５７０及びガスタービン５８０は、シャフト５１５によって機械的に結合することができ、これによりガスタービン５８０の駆動シャフト（図示せず）と発電機５７０との間でエネルギーを伝達することができる。図４にはまた、ガスタービン５８０及び蒸気タービン５９２に動作可能に接続された熱交換器５８６が示されている。熱交換器５８６は、従来の導管（符号は省略）を介してガスタービン５８０及び蒸気タービン５９２の両方に流体接続することができる。ガスタービン５８０及び／又は蒸気タービン５９２は、図２又は本明細書で記載される他の実施形態のカウリングシステム２００に接続することができる。熱交換器５８６は、従来の複合サイクル発電システムで使用するような、従来の熱回収蒸気発生器（ＨＲＳＧ）とすることができる。発電の技術分野において周知であるように、ＨＲＳＧ５８６は、ガスタービン５８０からの高温排出ガスを供給水と組み合わせて用いて蒸気を生成することができ、該蒸気は、蒸気タービン５９２に送給される。蒸気タービン５９２は、任意選択的に、第２の発電機システム５７０に（第２のシャフト５１５を介して）結合することができる。発電機５７０及びシャフト５１５は、当該技術分野で公知の何れかのサイズ又はタイプのものとすることができ、用途又は接続されるシステムに応じて異なることができる点は理解される。発電機及びシャフトの共通の参照符号の付与は、明確にする目的であり、これらの発電機又はシャフトが必ずしも同じものであることを示唆するものではない。図５に示す別の実施形態において、単一シャフト複合サイクル発電プラント９９０は、単一のシャフト５１５を介してガスタービン５８０及び蒸気タービン５９２の両方に結合された単一の発電機５７０を含むことができる。蒸気タービン５９２及び／又はガスタービン５８０は、図２又は本明細書で記載される他の実施形態のカウリングシステム２００に接続することができる。
【００２５】
本明細書で使用される用語は、特定の実施形態を説明するためのものに過ぎず、本発明を限定するものではない。本明細書で使用される単数形態は、前後関係から明らかに別の意味を示さない限り、複数形態も含む。更に、本明細書内で使用する場合に、「含む」及び／又は「備える」という用語は、そこに述べた特徴部、完全体、ステップ、動作、要素及び／又は構成要素の存在を明示しているが、１つ又はそれ以上の特徴部、完全体、ステップ、動作、要素、構成要素及び／又はそれらの群の存在又は付加を排除するものではないことは理解されるであろう。
【００２６】
本明細書は、最良の形態を含む実施例を用いて本発明を開示し、更に、あらゆる当業者があらゆるデバイス又はシステムを実施及び利用すること並びにあらゆる包含の方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００２７】
１０  ガスタービン又は蒸気タービン
１２  ロータ
１４  回転シャフト
１８  ロータホイール
２０  回転ブレード
２２  固定ベーン
２４  ガス又は蒸気
２６  入口
１００  蒸気タービンシステム
１１０  上側部分
１２０  下側部分
１４０  キャップ
１５０  ベース
１６０  上側半部分ケーシング
１７０  下側半部分ケーシング
１７４  タービン部品
１７８  蒸気流れチャンネル
１９０  内側ケーシング
１９８  表面
２００  カウリングシステム
２１０  上側部分
２１２  コネクタ
２１６  流れ開口
２１８  カバー
２２０  下側部分
２４０  蒸気タービンカウリングシステム
２５０  チャンネル
２８０  水平継手／表面
５００  複数シャフト複合サイクル発電プラント
５１５  シャフト
５７０  発電機
５８０  ガスタービン
５８６  熱交換器
５９２  蒸気タービン
【図１】
2014092155.tif 000003
【図２】
2014092155.tif 000004
【図３】
2014092155.tif 000005
【図４】
2014092155.tif 000006
【図５】
2014092155.tif 000007